(57)【要約】【課題】  間伐材有効利用を実現し、自然景観を損なうことなく、かつ、低コストであって強固な擁壁構築用の木製型枠パネルを提供することを目的とする。【解決手段】  横木及び縦木は間伐材を使用し、該横木及び縦木は背面部及び両端面を平面加工し、前面部は伐採時の表皮を残した状態にして、横木は背面より所要厚で上面部から縦木と嵌合する切欠き溝を縦木の必要数に合わせて設けた単位材形成であって、上下両側面互いの矧ぎ継ぎ手段が合溝欠（あいじゃくり）継ぎとして嵌合密着させて所定数並列させ、前記切欠き溝に縦木を嵌合し、全体を一体に形成して所定の規格とし、連結した横木の隙間からコンクリートの漏れを防止したことを特徴として、問題が解決される。【選択図】  図６
2006125171.tif 000002
【特許請求の範囲】
【請求項１】
所要規格とした長さ、幅及び高さの横木、縦木を複数個並列に組み合わせした木製型枠パネルにおいて、当該横木及び縦木は間伐材を使用し、該横木及び縦木は背面部及び両端面を平面加工し、前面部は伐採時の表皮を残した状態にして、前記横木は背面より所要厚で上面部から縦木と嵌合する切欠き溝を、縦木の必要数に合わせて設けた単位材形成であって、上側面及び下側面は複数個並列に組合す上で、両側面互いの矧ぎ継ぎ手段が合わせ目に隙間が抜けない様、板コバの部分を半分ずつ欠きとって重ね合わせるようにした、合溝欠（あいじゃくり）継ぎとして嵌合密着させて並列させ、横木単位材の縦木方向が長手方向となるように所定数並列させ、並列させた横木単位材の前記切欠き溝に縦木を嵌合し、背面部より止めビスのみで連結させ、全体を一体に形成して所定の規格とし、連結した横木の隙間からコンクリートの漏れを防止したことを特徴とする、間伐材木製型枠パネル。
【請求項２】
前記横木を並列させるための上下側面部の矧ぎ継ぎ手段が、本実（ほんざね）継ぎ、矢筈（やはず）継ぎなどの単位材同士のみからなる代表的な板の繋ぎ合わせの矧ぎ手段を用いて、嵌合密着させて並列連結させたことを特徴とする、請求項１に記載の間伐材木製型枠パネル。
【発明の詳細な説明】
【技術分野】
【０００１】  本発明は、間伐材の有効利用を目的として、予防治山工事における土留工や谷止工等のコンクリート擁壁構築に使用できる木製型枠パネルに関するものである。
【背景技術】
【０００２】  従来、山間部等における予防治山事業として、砂防堰堤を始めとする流路工や土留工または谷止工など、治山ダム等が整備されている。
特に近年に於いては、自然景観に配慮してコンクリート擁壁構築に木製品を種々の形態で使用されているものがある。その利用される木材の一つとして、森林の下草育成による土壌管理が適切になされるように、森林から間引かれた木材で、発育途中の細径である間伐材の有効利用として資源循環型工法の推進が提唱されている。【０００３】この間伐材の利用としては、細径であるため、建具や家具の材料にしたり、垂木や胴縁等の建築材料に使用されるが、必ずしも有効に利用されているとは言えないものである。また、間伐材利用が推奨される一つには、中間伐採木であることからも製材された板材よりもコスト軽減ができる材料として注目されていることにある。そこで、間伐材を治山事業に利用をしようとする方法に、木製型枠材として使用する手段として特開２００３−３３６２７４のような技術が開示されている。
【発明の開示】
【発明が解決しようとする課題】
【０００４】  然しながら、上述した間伐材利用の技術においては、所定の規格形状に形成した木製型枠体として、間伐材を所定の長さに切断し、背面及び両側面を平面加工した単位材形成とするもので、特に実施の形態において詳述するように、間伐材を皮むきし、所謂三面挽きと称される手段によって背面と両側面を平滑にして型枠体を形成させるものであることが伺える。【０００５】ここで上記技術においては、自然景観を配慮した残置型の木製型枠材を目的とすることから、間伐状態である木の皮を残した形であることが最も景観として自然に馴染むもので、表裏皮剥ぎ取った板材であれば、間伐材利用であることを必要とせず、通常の製材品を使用しても何等変わることが無い。また、残置型の特徴とは係る木材が自然に風化し草木や苔などが自然に発生し、周りの風景と同化することに景観上の良さが見い出されるもので、自然景観は勿論のこと、林野保護の観点からも、人工的なダム形態を払拭するような自然体の様子が求められているものである。【０００６】なお、係る手段では、解決しようとする課題において、間伐材の採取現場近傍で行われる土留工や谷止工の擁壁構築に使用できる木製型枠体並びに前記型枠体を使用した擁壁構築工法を提案するものの、そもそも、製材所での加工では、流路工や土留工または谷止工など、治山ダム等の周辺より伐採した間伐材に限ることはなく、あらゆるところから伐採した間伐材があることから、加工観点からも皮剥ぎし両面加工を加えた木製型枠体では、必ずしも間伐材である必要性がなくなる。【０００７】この間伐材を利用した残置型の提唱は、枠体が相当数の年月を得て風化し腐敗することで、コンクリート擁壁として密着した状態から剥がれ落ちても、木製であるが故に周辺に散乱しても自然に朽ち果てることから、自然に優しいものであって、上記技術に開示されているように連結具も連結ボルトや緊締ナットなどの金属類を多く取り入れることは好ましいものではない。また、この連結手段によれば、三本の単位材を貫通する連結ボルトや緊締ナットの貫通穴の加工並びにセパレータ用透孔を穿設するなど、横木における加工コストが掛かり、使用する連結具によってもまたコスト高になるものである。【０００８】なお、擁壁構築工法においてもコンクリートを打設の際に単管とセパレータを組合せて縦方向強度を保持させて、コンクリートを流し込み固化した後に取りはずなど、強化するための無駄な労力と時間を要することから、この点より間伐材利用による経費削減には至らず、反してコスト高となるものである。【０００９】特に技術面ではコンクリート材に擁壁構築するにあたり、表面材としての役割をなす上で単位材を並列に積層するとした方法が付き付け継ぎ、所謂いも継ぎであることから、コンクリートを打設する際に、単に互いに並列させ付き合わせた枠材であることから当該コンクリート又はモルタルの漏れが生じて、コンクリート打設に不具合が生じる。このことは当該技術における間伐材の横木の両側面を平滑にして型枠体を形成させることから、単に側面を合わせ連結しているだけであるが故に、木材の反り歪みが生じて隙間が発生し、該隙間からコンクリートの漏れが発生し施工に影響を与えるものである。【００１０���本発明は上述の種々なる問題点に鑑み、その問題点を解決するため、自然景観を損なうことなく、かつ、低コストであって強固な擁壁構築用の間伐材木製型枠パネルの提供を目的とするものである。
【発明が解決するための手段】
【００１１】前記の問題点を解決すべく種々研究の結果、上記目的は本発明によって有効に達成することができる。
【００１２】すなわち本発明は、所要規格とした長さ、幅及び高さの横木、縦木を複数個並列に組み合わせした木製型枠パネルにおいて、当該横木及び縦木は間伐材を使用し、該横木及び縦木は背面部及び両端面を平面加工し、前面部は伐採時の表皮を残した状態にして、前記横木は背面より所要厚で上面部から縦木と嵌合する切欠き溝を、縦木の必要数に合わせて設けた単位材形成であって、上側面及び下側面は複数個並列に組合す上で、両側面互いの矧ぎ継ぎ手段が合わせ目に隙間が抜けない様、板コバの部分を半分ずつ欠きとって重ね合わせるようにした、合溝欠（あいじゃくり）継ぎとして嵌合密着させて並列させ、横木単位材の縦木方向が長手方向となるように所定数並列させ、並列させた横木単位材の前記切欠き溝に縦木を嵌合し、背面部より止めビスのみで連結させ、全体を一体に形成して所定の規格とし、連結した横木の隙間からコンクリートの漏れを防止したことを特徴としている。
【００１３】また請求項２記載の如く、前記横木を並列させるための上下側面部の矧ぎ継ぎ手段が、本実（ほんざね）継ぎ、矢筈（やはず）継ぎなどの単位材同士のみからなる代表的な板の繋ぎ合わせの矧ぎ手段を用いて、嵌合密着させて並列連結させたことを特徴とした木製型枠パネルを提供することにより上述種々の問題点を解決している。
【発明の効果】
【００１４】  以上の如く、本発明の間伐材木製型枠パネルによれば、コンクリート打設後に当該木製型枠パネルを取り外すことなく擁壁の表面材として自然景観に溶け込んだ形態で構築することができると共に、腐敗して崩落した場合であっても、残置型として縦木と横木での組合せから成ることからも環境へ特に配慮したものである。しかも本発明の横木を並列に連結する手段によれば、これまでコンクリートを打設した際に、連結した横木同士の隙間からコンクリートが漏れることによって生じた不具合を解消することができる。
【００１５】また、多量の間伐材の有効利用を実現できることにより、森林資源の循環利用に大きく貢献するものであり、しかも木製型枠それ自体が擁壁の化粧材となるもので、土留擁壁や谷止擁壁または堰堤ダム擁壁がコンクリートのむき出し状態ではなく、間伐材の表皮を残したままの状態を上下に積層した木製壁の外観を呈することになり、自然景観を破壊せずに、所定の防護工を実現できる。
以上、本発明は多方面における治山事業での有効利用による市場性の向上は勿論のこと、林業及び製材業における市場性の向上を計ることができることにり、産業上に極めて有意義かつ多大な効果を生ぜしめるものである。
【発明を実施するための最良の形態】
【００１６】  以下に、本発明における間伐材木製型枠パネルの一実施形態について、図面を交えて詳述する。図１は本発明の一実施例における正面図で、図２の至り図４はそれぞれ、同実施例の平面図、Ａ−Ａ線矢視断面図、部分拡大図である。
図１の至り図７において、本発明の一体構成を表す各組図に示すとおり、本発明の一体形成の大きくは横木１と縦木２により構成さる。【００１７】実施形態に示した木製型枠パネルの横木１及び縦木２は、間伐材で形成したものである。間伐材は、特に直線柱状であり使いやすい杉間伐材が適当であるが、必ずしも杉に限定されない。この間伐材を背面と両側面を平滑にして、更に所定の長さに切断し、後述するように必要とする加工を施した横木１と縦木２の単位材を形成し、この各単位材を組み合わせて木製型枠パネル本体を形成する。【００１８】横木１の形成は、図４に示すように横木１を所要高さに各々連結するために、上下両側面に対して両側面互いの矧ぎ継ぎ手段として、合溝欠（あいじゃくり）継ぎ、或は同じく相決り（あいじゃくり）継ぎ「以下、合溝欠継ぎ４という。」と称される、合わせ目に隙間が抜けない様、板コバの部分を半分ずつ欠きとって重ね合わせるようにした、板状の材料を側面で継ぐ技術である矧ぎ継ぎの加工を行い、嵌合密着させて並列させて連結される。また、横木１の上面には縦木２を嵌め合いする縦木用切欠き溝５を形成し、所要規格の高さに連結させた横木１と同じ長さとなるように縦木２は長手方向切断寸法に加工を施す。縦木２は背面部を平面としたもので、溝部分の深さに嵌る部分を側面カットすることで良い。なお、横木１及び縦木２双方共に間伐材であることを特徴として表皮は剥ぎ取らず、皮を残した状態での使用形態とするもので、実施においては、丸棒太鼓落しと称される間伐材を背割りとして半分に切断した状態で背面平面加工を行い、当該背面を基準として所要厚さを残して上面部に縦木用切欠き溝５を施す。【００１９】通常型枠パネルの規格は横木１部材寸法が横に積層し連結組合せ状態で、横方向長さ１，８００ｍｍ、高さ９００ｍｍ、厚さ５０ｍｍとして加工される。縦木２は高さ９００ｍｍ、幅９０ｍｍ、厚さ４５ｍｍとし、縦木２を互いに合溝欠継ぎ４により嵌合密着させた横木１の縦木用切欠き溝５に嵌め合いさせ、背面より止めビス３で固着する。縦木２により横木１同士を嵌着すると共に、縦方向強度が図られる。なお、横木１に施す縦木用切欠き溝５は適宜数を形成すればよく、実施に於いては１，８００ｍｍの長さに２ないし３本の縦木２を施すことでよい。【００２０】図１、図２に示すように横木１の両端面には、図６の本発明の木製型枠パネル同士に縦木差込状態の斜視図及び図７の完成組図に示すように、互いに木製型枠パネルを互いに連結する際に、縦木２で嵌着なるように互いに切断溝を形成させることで、前記同様に横木１全体を固着し、パネル同士が連結形成される。ここで治山工事の施工時には、表皮が見える上面側が下流側となり、背面がコンクリート打設する上流側となる。【００２１】次に図８について説明する。（イ）は本実（ほんざね）継ぎを表す斜視図であり、（ロ）は断面図、（ハ）は部分拡大図である。各図に示すように、第２実施として上下両側面に対して両側面互いに凸部の柄（ほぞ）と該柄と嵌合する凹部を形成し、嵌め合いさせる矧ぎ継ぎの加工である、本実継ぎ６を形成させてなる。【００２２】図９は、第３実施形態で、（ニ）は矢筈（やはず）継ぎを表す斜視図、（ホ）は断面図、（ヘ）は部分拡大図である。前記同様に、両側面互いに斜めに角状突起させた突起部と該突起部と嵌合する形態の切欠き部を形成し、嵌め合いさせる矧ぎ継ぎの加工である、矢筈継ぎ７を形成させてなる。【００２３】本発明の矧ぎ継ぎ手段によって、横木１の連結が密着し隙間を生じないことが特徴であり、縦木２の加工は前記実施１の形態と何等変わることはなく、ここで実施形態を選定しているものの、本発明における横木１同士の連結手段は、これらに限定することなく、種々の矧ぎ継ぎ手段が適用できることから、横木１単体同士が継ぎ合わせることであれば、その手段によって得る方法は全て本発明に包含される。【００２４】図１０は、本発明の施工状態を表す外観斜視図であり、この図に示すようにコンクリート打設し、表面の化粧材として貼設した状態で放置するいわゆる残置型の型枠であることから、横木と縦木の組み合わせ以外に金属製部品を取り入れることなく、軽量化したパネルであって矧ぎ継ぎ連結手段によって密着保持されていることから、コンクリート漏れを防ぐ上で、もっとも強固な型枠パネルが提供できる。【００２５】更に構築擁壁の表面及び背面に配置した型枠パネルを型枠保持用の単管を組み込み、コンクリート打設時の耐久性を保有させることや、コンクリートを打設し、コンクリートが固化した後には単管を取り外し、型枠パネルは、そのまま擁壁の表面材として残すことなど、従前の施工手段を行うことは一向に差支えがなく、何等変わることが無く同様の施工が行える。従って本発明は無機質なコンクリート面が露出せずに、木製型枠パネルで表面が覆われた擁壁が構築されるので、自然の景観にマッチすることになると共に、間伐材の有効利用が実現することになる。更に木製型枠パネルは加工が容易であるから、擁壁形状に柔軟に対応することができ、現場での組込みも容易に行うことができる。
【図面の簡単な説明】
【００２６】
【図１】本発明の一実施例における正面図である。
【図２】同実施例の平面図。
【図３】同実施例のＡ−Ａ線矢視断面図。
【図４】同図の部分拡大図。
【図５】同実施例の縦木組込み状態の斜視図。
【図６】本発明の木製型枠パネル同士に縦木差込状態の斜視図。
【図７】同実施例の完成組図。
【図８】第２実施形態で、（イ）は本実継ぎを表す斜視図、（ロ）は断面図、（ハ）は部分拡大図である。
【図９】第３実施形態で、（ニ）は矢筈継ぎを表す斜視図、（ホ）は断面図、（ヘ）は部分拡大図である。
【図１０】本発明の施工状態を表す外観斜視図。
【符号の説明】
【００２７】  １：横木
２：縦木
３：止めビス
４：合溝欠（あいじゃくり）継ぎ
５：縦木用切欠き溝
６：本実（ほんざね）継ぎ
７：矢筈（やはず）継ぎ
【図１】
2006125171.tif 000003
【図２】
2006125171.tif 000004
【図３】
2006125171.tif 000005
【図４】
2006125171.tif 000006
【図５】
2006125171.tif 000007
【図６】
2006125171.tif 000008
【図７】
2006125171.tif 000009
【図８】
2006125171.tif 000010
【図９】
2006125171.tif 000011
【図１０】
2006125171.tif 000012